(57)【要約】【課題】鳥や人に損傷を与えず、かつ鳥の忌避効果が長期的に期待できる鳥害防止装置を提供する。【解決手段】猛禽類の模型１０を有する鳥害防止装置である。この模型１０は、胴部１１と羽根部１２を具えており、少なくとも前記羽根部１２は、その形態を変化できる可撓性材料で構成されている。模型の羽根部１２を可撓性材料で構成することにより、羽根部１２を閉じた状態や開いた状態に変化させることができる。そのため、適宜な時間間隔で模型の形態を変化させ、害鳥の学習による忌避効果の低下を抑制することができる。【選択図】  図１
2004173578.tif 000002
【特許請求の範囲】
【請求項１】
猛禽類の模型を有する鳥害防止装置であって、
前記模型は、胴体部と羽根部を具えており、
少なくとも前記羽根部は、その形態を変化できる可撓性材料で構成されたことを特徴とする鳥害防止装置。
【請求項２】
前記羽根部は、発泡金属の少なくとも片面にゴム材料を貼り合わせた構造であることを特徴とする請求項１に記載の鳥害防止装置。
【請求項３】
前記模型は、支持材から吊り下げられることを特徴とする請求項１に記載の鳥害防止装置。
【請求項４】
前記模型は、前傾姿勢にて保持されることを特徴とする請求項１に記載の鳥害防止装置。
【発明の詳細な説明】
【０００１】
【発明の属する技術分野】
本発明は鳥の巣作りや糞による建築物などの汚損、送配電設備における電気的障害を防ぐ鳥害防止装置に関するものである。特に、猛禽類の模型で害鳥を威嚇する鳥害防止装置であって、長期間にわたって害鳥の忌避効果が維持できる鳥害防止装置に関するものである。
【０００２】
【従来の技術】
従来から鳥を忌避するための手段は種々のものが提案されている。例えば、鳥害を引き起こす鳩、椋鳥、烏などに対して威嚇効果の高い猛禽類の模型により害鳥を忌避する手段がある（例えば特許文献１）。その他、針状突起やマグネット付き策条体、目玉を模した風船などがあり、それぞれにおいて一定の効果を挙げている。
【０００３】
【特許文献１】
特開２０００−４１５６４号公報
【０００４】
【発明が解決しようとする課題】
しかし、鳩、椋鳥、烏などは学習能力が高く、一時的には効果があっても短期間のうちに慣れてしまい、長期的に忌避効果を維持することが難しい。例えば、猛禽類の模型は、その形状が固定されているため、短期間の内に害鳥が模型であることを学習して忌避効果を維持することが困難である。また、針状突起は長期的忌避効果の点では有効であるが、鳥やこの突起を取り扱う人が損傷するおそれがある。
【０００５】
従って、本発明の主目的は、鳥や人に損傷を与えず、かつ鳥の忌避効果が長期的に期待できる鳥害防止装置を提供することにある。
【０００６】
【課題を解決するための手段】
本発明は、猛禽類の模型の形態を可変式とすることで上記の目的を達成する。
【０００７】
すなわち、本発明鳥害防止装置は、猛禽類の模型を有する鳥害防止装置であって、前記模型は、胴体部と羽根部を具えており、少なくとも前記羽根部は、その形態を変化できる可撓性材料で構成されたことを特徴とする。
【０００８】
模型の羽根部を可撓性材料で構成することにより、羽根部を閉じた状態や開いた状態に変化させることができる。そのため、適宜な時間間隔で模型の形態を変化させることで、害鳥の学習による忌避効果の低下を抑制することができる。
【０００９】
模型の形態は、鳩、椋鳥、烏などの害鳥に対して天敵となる猛禽類、例えば鷲、鷹、隼などを模したものとする。一般的には、これら猛禽類が飛行している状態を模するため、一連の羽ばたき動作におけるいずれかの姿態とすることが望ましい。より具体的には、羽根部を開いた状態や閉じた状態が挙げられる。さらには、猛禽類が獲物を狙う場合、急降下することから、前傾姿勢の形態としたり、前傾姿勢になるように設置することも好ましい。
【００１０】
ここでの可撓性材料には、種々のものが利用できるが、人力で変形できる程度の変形性と、変形後の形態が設置環境において保持される程度の保形性とをもつ材料が好適である。例えば、金属製の芯材にゴムなどの弾性材を複合した材料が好適である。より具体的には、発泡金属（例えば住友電気工業株式会社製、商品名セルメット）の少なくとも片面にゴムを貼り合わせたものなどが好適である。発泡金属は模型の軽量化にも資することができる。
【００１１】
模型は、害鳥が出現する個所に設置すれば良いが、その設置方法については、種々の仕方が考えられる。
【００１２】
▲１▼固定する
適宜な固定台を用い、その固定台上に模型を設置すれば良い。この場合、模型自体の形態変化だけしかないため、形態を変化させる時間間隔は短くすることが好適である。
【００１３】
▲２▼吊り下げる
適宜な支持材から模型を吊り下げる。吊り下げられた模型は、模型自体の形態変化に加えて風による揺動動作も加わり、害鳥を忌避する効果を一層高めることができる。模型を吊り下げた場合、万一、支持材から模型が脱落すれば危険なため、落下防止材に模型を連結することが好適である。
【００１４】
▲３▼走行させる
ガイドレールと、ガイドレールに沿って走行する走行機とを用い、この走行機に模型を取り付ける。模型自体の形態変化に加えて走行動作も加わり、害鳥を忌避する効果を一層高めることができる。
【００１５】
ガイドレールの材質・構成は走行機の走行に支障のない強度を具えれば特に限定されるわけではない。例えば、剛体レールの他、ワイヤなどの可撓性材料が利用できる。剛体レールの例としては、鉄塔に付設されている墜落防止装置用レールなどを応用することが挙げられる。ガイドレールは走行機に電力供給を行う給電線を付設した構造が好ましく、取付金具を用いて鉄塔のアングル材などに取り付けできるように構成する。
【００１６】
走行機はガイドレールに噛合するスプロケットと、スプロケットを回転させる駆動機構とを具えるものが好適である。一般的な駆動機構としてはモータが挙げられる。特に、走行機はその走行速度を不規則に制御するランダム信号発生手段や走行時間を規定するタイマー手段を具えることが望ましい。
【００１７】
【発明の実施の形態】
（実施例１）
以下、鉄塔に本発明装置を取り付けた場合を例として、本発明の実施の形態を説明する。図１は鉄塔のアングル材から第１支持材を張りだし、その第１支持材から本発明装置を吊り下げた状態を示す説明図。図２は本発明装置の側面図である。また、図３は本発明装置の模型が羽根部を開いた状態の模式図、図４は同模型が羽根部を閉じた状態の模式図である。
【００１８】
本発明装置は、図１に示すように、猛禽類の模型１０を具えている。この模型１０は、アルミ鋳型製の胴体部１１と、胴体部１１に対してボルトで固定された羽根部１２とを有する。ここでは水平飛行する鷹を模した模型としている。
【００１９】
胴体部１１は、支持棒１３で上下方向に貫通され、支持棒１３の上端にＵシャックル１４が、下端にアイボルト１５が装着されている。前記Ｕシャックル１４の上部は、スイベル１６を介して別のＵシャックル１７が装着され、このＵシャックル１７を取付金具１８を介して第１支持材２０の先端に固定している。この２つのＵシャックル１４、１７とスイベル１６との組合せにより、模型１０は３６０°回転できると共に、頂角約９０°の円錐面の範囲内で揺動自在に吊り下げられる。つまり、揺動範囲を規制することで、模型１０が強風に煽られても、支持材２０の上部に乗り上げてしまうことがないようにしている。
【００２０】
羽根部１２は発泡金属（住友電気工業株式会社製、商品名セルメット）の両面にポリウレタンゴムシートを貼り合わせて構成している。ここでは、貼り合わせた合計１０ｍｍ程度のものを用いた。このような発泡金属とゴムシートとの複合材料を用いることで、人力で容易に羽根部１２の形状を変化させることができ、かつ変化後の形態を保持できる保形性も具えることができる。従って、適宜な時間間隔で、人手により模型の羽根部１２の形状を変えることで、害鳥の学習による忌避効果の低下を抑制することができる。例えば、図３に示すように、羽根部を開いた状態にしたり、図４に示すように、羽根部を閉じた状態に変化させることができる。
【００２１】
以上のような構成の鳥害防止装置によれば、模型自体の形態変化に加えて、風による模型１０の揺動が期待できるため、害鳥に対して、模型１０を長期間にわたって生体と認識させることができる。
【００２２】
さらに、本例では、落下防止装置を設けた。この落下防止装置は、鉄塔アングル材より第２支持材３０を張出し、その支持材先端にワイヤー３１を連結して、さらに模型のアイボルト１５にワイヤー３１を連結している。従って、万一、模型１０が第１支持材２０から脱落することがあっても、模型１０が鉄塔から落下することを防止でき、地上の人や建造物に対する危険を排除することができる。
【００２３】
上述の構成では、水平飛行する鷹を模した模型を用いたが、図５に示すように、前傾姿勢で降下飛行する鷹を模した模型１０を用いてもよい。この前傾姿勢は、胴体部１１に対して、貫通する支持棒１３の角度を調整するだけで実現できる。すなわち、図２では支持棒１３で胴体部１１をほぼ垂直方向に貫通しているが、図５に示すように、垂直方向に対して角度を持って支持棒１３で貫通すれば、模型１０を前傾姿勢にて吊り下げることができる。
【００２４】
（実施例２）
次に、ガイドレールに沿って走行自在に構成した模型を有する本発明装置を説明する。図６は鉄塔上部に本発明装置を取り付けた状態を示し、（Ａ）は平面図、（Ｂ）は側面図である。
【００２５】
本発明装置は、図６に示すように、鉄塔５０に取付金具５５で装着された円形のガイドレール６０と、ガイドレール６０沿いに走行する走行機７０と、走行機７０に取り付けられた模型１０を具える。模型１０は実施例１と同様に鷹を模したもので、羽根部を閉じた状態や開いた状態に変化させることができる。また、鉄塔頂部には模型１０（走行機７０）の格納庫８０が取り付けられ、走行機の停止時には模型１０を格納庫８０内に収納しておき、走行時のみ格納庫８０から飛び出すように構成されている。
【００２６】
ガイドレール６０には鉄塔昇降時に用いる墜落防止装置用のレールを利用した。このレール６０は、図７に示すように、断面がほぼＩ型の金属レールで、互いに平行する係合面６１と取付面６２とを具え、これらに直行する中間面６３で係合面６１と取付面６２とを接合した構成となっている。この係合面６１には後述する走行機７０のスプロケットが噛合する多数の矩形孔６４が連続して形成されている。
【００２７】
さらに、図７に示すように、レールの中間面６３には絶縁体６５を介して給電線６６が付設されている。走行機７０はこの給電線６６に接点を摺接して電力供給を受け、駆動機構のモータを作動して走行する。供給する電源は２系統用意し、第一系統の電源は後述するタイマにより所定時間（例えば５０分）でオフになり、第二系統の電源は第一系統の電源がオフになって停止した走行機７０を格納庫８０まで走行して停止させる。この格納庫８０での停止には磁気センサなどの「センサ」を格納庫８０の近傍に設置しておき、走行機７０が格納庫内に収納されたことをセンサで感知して走行機を停止させればよい。給電線６６をレール沿いに付設する代わりに、図６に示すように、電源ケーブル６７を直接走行機に引き出す構成としてもよい。なお、給電線に電力供給を行う電源には鉄塔に設備されている航空障害灯用の電源を利用した。
【００２８】
走行機７０（図７）は前記係合面６１の矩形孔６４に噛合するスプロケット（図示せず）と、スプロケットを回転させるモータ（図示せず）とを具えている。このようにモータでスプロケットを回転させてレール沿いに走行する機構については、特願平７‐３１６４８号記載の昇降補助機などが参考になる。
【００２９】
模型と走行機７０との連結は、回転軸１９を介して行い、模型１０が風見鶏の原理で風向に対応して回転するよう構成した。この模型１０の回転により動きに不規則性を与え、鳥の忌避効果を長期的に維持することができる。そして、鷹型模型の目に赤色のＬＥＤを埋め込み、ＬＥＤの発光によっても鳥を威嚇できるようにした。
【００３０】
格納庫８０は、一側面と上面のみからなり断面がＬ型に構成されたもの（図６参照）や、２つの側面と上面とを具えて断面が］型のもの（図示せず）が挙げられる。前者の場合、上面がレール上を覆うように設置し、後者の場合、レールをまたぐように設置することで模型１０（走行機７０）を風雨から保護する。格納庫の構成は、走行機７０（模型１０）を覆うものであれば特に限定されないが、風圧抵抗の小さい形状が好ましい。
【００３１】
これら格納庫８０の側面には走行機２の制御回路（図示せず）を装着した。制御回路の回路図を図８に示す。航空障害灯の電源から導入した交流電源を「スイッチング電源」で直流に変換し、この直流電源で「タイマ」や「モータドライブ回路」を作動する。タイマは走行機７０の走行時間を規定するもので、走行開始時間と走行時間（または走行終了時間）とを設定する。
【００３２】
忌避対象の椋鳥などは夕刻に鉄塔に群がる習性があることから、この時間帯に模型１０を走行させることが好ましい。もちろん、上記の設定時間を可変とすることで威嚇の時期に変化を持たせ、鳥の慣れを抑制できる。走行開始時間になると「電源系統切換」により第一系統の電源によりレール沿いの給電線に課電し、走行機２を作動させて模型１０をレール沿いに走行させる。その際、「ランダム信号発生回路」によりランダム信号を発生し、この信号に基づいて「モータドライブ回路」を制御することで走行機２の速度を不規則的に変化させる。例えば、１０ｍ／分以下の範囲で速度を変化させ、その不規則性により鳥の忌避効果を長期的に維持する。所定の時間が経つと走行機７０は停止するが、停止位置は格納庫内とは限らない。そのため、「電源系統切換」により第二系統の電源に切り換えて走行機２を走行し、走行機が格納庫内に収納されたことを「センサ」で感知して停止させる。
【００３３】
【発明の効果】
以上説明したように、本発明装置によれば、猛禽類の模型を用い、模型の姿態を可変式とすることで、適宜模型の形態を変えることができ、害鳥に対するなれを抑制して、長期間にわたって害鳥の忌避効果を維持することができる。
【図面の簡単な説明】
【図１】鉄塔のアングル材から第１支持材を張りだし、その第１支持材から本発明装置を吊り下げた状態を示す説明図である。
【図２】本発明装置の側面図である。
【図３】本発明装置の模型が羽根部を開いた状態の模式図である。
【図４】本発明装置の模型が羽根部を閉じた状態の模式図である。
【図５】前傾姿勢とした本発明装置の模型を示す側面である。
【図６】本発明装置を鉄塔の頂部に取り付けた状態を示し、（Ａ）は平面図、（Ｂ）は側面図である。
【図７】本発明装置における走行機と模型の正面図である。
【図８】本発明装置の制御回路図である。
【符号の説明】
１０    模型
１１    胴体部
１２    羽根部
１３    支持棒
１４    Ｕシャックル
１５    アイボルト
１６    スイベル
１７    Ｕシャックル
１８    取付金具
１９    回転軸
２０    第１支持材
３０    第２支持材
３１    ワイヤー
５０    鉄塔
５５    取付金具
６０    ガイドレール
６１    係合面
６２    取付面
６３    中間面
６４    矩形孔
６５    絶縁体
６６    給電線
６７    電源ケーブル
７０    走行機
８０    格納庫
【図１】
2004173578.tif 000003
【図２】
2004173578.tif 000004
【図３】
2004173578.tif 000005
【図４】
2004173578.tif 000006
【図５】
2004173578.tif 000007
【図６】
2004173578.tif 000008
【図７】
2004173578.tif 000009
【図８】
2004173578.tif 000010